(57)【特許請求の範囲】
【請求項１】
アンテナと、
時分割複信方式に割り当てられた第１の周波数帯に重複する第２の周波数帯で周波数分割複信方式の下りリンクの受信を、前記アンテナを介して行う第１の無線部と、
前記アンテナを介して第３の周波数帯で無線通信する第２の無線部と、
前記アンテナと前記第１の無線部の間をオンまたはオフする機能と、前記アンテナと前記第２の無線部の間をオンまたはオフする機能とを有するスイッチ部と、
前記第２の無線部を介して第２の無線基地局装置との間で無線通信を行う通信処理部と、
前記スイッチ部を制御する制御部と、を備え、
前記通信処理部は、前記第１の周波数帯で時分割複信方式により無線通信する第１の無線基地局装置が前記第１の周波数帯で時分割複信方式の下りリンクの送信を行うタイミングを表す周波数帯利用情報を、前記第２の無線基地局装置から受信し、
前記通信処理部は、前記周波数帯利用情報に基づいたマスク信号を前記制御部に出力し、
前記マスク信号は、前記第１の無線基地局装置の時分割複信方式の下りリンクの受信タイミングで可となり、それ以外のタイミングでは不可となる信号であり、
前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、
前記通信処理部は、前記第１の無線部を介して前記第１の無線基地局装置との間で下りリンクの片方向の通信を行う、
無線端末装置。
【請求項２】
アンテナと、
時分割複信方式に割り当てられた第１の周波数帯に重複する第２の周波数帯で周波数分割複信方式の上りリンクの送信を、前記アンテナを介して行う第１の無線部と、
前記アンテナを介して第３の周波数帯で無線通信する第２の無線部と、
前記アンテナと前記第１の無線部の間をオンまたはオフする機能と、前記アンテナと前記第２の無線部の間をオンまたはオフする機能とを有するスイッチ部と、
前記第２の無線部を介して第２の無線基地局装置との間で無線通信を行う通信処理部と、
前記スイッチ部を制御する制御部と、を備え、
前記通信処理部は、前記第１の周波数帯で時分割複信方式により無線通信する第１の無線基地局装置が前記第１の周波数帯で時分割複信方式の上りリンクの受信を行うタイミングを表す周波数帯利用情報を、前記第２の無線基地局装置から受信し、
前記通信処理部は、前記周波数帯利用情報に基づいたマスク信号を前記制御部に出力し、
前記マスク信号は、前記第１の無線基地局装置の時分割複信方式の上りリンクの送信タイミングで可となり、それ以外のタイミングでは不可となる信号であり、
前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、
前記通信処理部は、前記第１の無線部を介して前記第１の無線基地局装置との間で上りリンクの片方向の通信を行う、
無線端末装置。
【請求項３】
アンテナと、
周波数分割複信方式の下りリンクに割り当てられた第１の周波数帯に重複する第２の周波数帯で時分割複信方式の通信を、前記アンテナを介して行う第１の無線部と、
前記アンテナを介して第３の周波数帯で無線通信する第２の無線部と、
前記アンテナと前記第１の無線部の間をオンまたはオフする機能と、前記アンテナと前記第２の無線部の間をオンまたはオフする機能とを有するスイッチ部と、
前記第２の無線部を介して第２の無線基地局装置との間で無線通信を行う通信処理部と、
前記スイッチ部を制御する制御部と、を備え、
前記通信処理部は、前記第２の周波数帯で時分割複信方式により無線通信する第１の無線基地局装置が前記第２の周波数帯で時分割複信方式の下りリンクの送信を行うタイミングを表す周波数帯利用情報を、前記第２の無線基地局装置から受信し、
前記通信処理部は、前記周波数帯利用情報に基づいたマスク信号を前記制御部に出力し、
前記マスク信号は、前記第１の無線基地局装置の時分割複信方式の下りリンクの受信タイミングで可となり、それ以外のタイミングでは不可となる信号であり、
前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、
前記通信処理部は、前記第１の無線部を介して、周波数分割複信方式の無線基地局装置との間で下りリンクの片方向の通信を行う、
無線端末装置。
【請求項４】
アンテナと、
周波数分割複信方式の上りリンクに割り当てられた第１の周波数帯に重複する第２の周波数帯で時分割複信方式の通信を、前記アンテナを介して行う第１の無線部と、
前記アンテナを介して第３の周波数帯で無線通信する第２の無線部と、
前記アンテナと前記第１の無線部の間をオンまたはオフする機能と、前記アンテナと前記第２の無線部の間をオンまたはオフする機能とを有するスイッチ部と、
前記第２の無線部を介して第２の無線基地局装置との間で無線通信を行う通信処理部と、
前記スイッチ部を制御する制御部と、を備え、
前記通信処理部は、前記第２の周波数帯で時分割複信方式により無線通信する第１の無線基地局装置が前記第２の周波数帯で時分割複信方式の上りリンクの受信を行うタイミングを表す周波数帯利用情報を、前記第２の無線基地局装置から受信し、
前記通信処理部は、前記周波数帯利用情報に基づいたマスク信号を前記制御部に出力し、
前記マスク信号は、前記第１の無線基地局装置の時分割複信方式の上りリンクの送信タイミングで可となり、それ以外のタイミングでは不可となる信号であり、
前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、
前記通信処理部は、前記第１の無線部を介して、周波数分割複信方式の無線基地局装置との間で上りリンクの片方向の通信を行う、
無線端末装置。
【請求項５】
第１の周波数帯で時分割複信方式により無線端末装置と通信する無線基地局装置と、
請求項１または２のいずれか１項に記載の無線端末装置と、
を有する無線通信システム。
【請求項６】
第１の周波数帯で周波数分割複信方式により無線端末装置と通信する無線基地局装置と、
請求項３または４のいずれか１項に記載の無線端末装置と、
を有する無線通信システム。
【請求項７】
アンテナと、第１の無線部と、第２の無線部と、スイッチ部と、通信処理部と、制御部と、を備える無線端末装置の無線通信方法であり、
前記スイッチ部は、前記アンテナと前記第１の無線部の間をオンまたはオフする機能と、前記アンテナと前記第２の無線部の間をオンまたはオフする機能とを有し、
前記第１の無線部が、時分割複信方式に割り当てられた第１の周波数帯に重複する第２の周波数帯で周波数分割複信方式の下りリンクの受信を、前記アンテナを介して行うステップと、
前記第２の無線部が、前記アンテナを介して第３の周波数帯で無線通信するステップと、
前記通信処理部が、前記第２の無線部を介して第２の無線基地局装置との間で無線通信を行うステップと、
前記制御部が、前記スイッチ部を制御するステップと、を含み、
前記通信処理部は、前記第１の周波数帯で時分割複信方式により無線通信する第１の無線基地局装置が前記第１の周波数帯で時分割複信方式の下りリンクの送信を行うタイミングを表す周波数帯利用情報を、前記第２の無線基地局装置から受信し、
前記通信処理部は、前記周波数帯利用情報に基づいたマスク信号を前記制御部に出力し、
前記マスク信号は、前記第１の無線基地局装置の時分割複信方式の下りリンクの受信タイミングで可となり、それ以外のタイミングでは不可となる信号であり、
前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、
前記通信処理部は、前記第１の無線部を介して前記第１の無線基地局装置との間で下りリンクの片方向の通信を行う、
無線通信方法。
【請求項８】
アンテナと、第１の無線部と、第２の無線部と、スイッチ部と、通信処理部と、制御部と、を備える無線端末装置の無線通信方法であり、
前記スイッチ部は、前記アンテナと前記第１の無線部の間をオンまたはオフする機能と、前記アンテナと前記第２の無線部の間をオンまたはオフする機能とを有し、
前記第１の無線部が、時分割複信方式に割り当てられた第１の周波数帯に重複する第２の周波数帯で周波数分割複信方式の上りリンクの送信を、前記アンテナを介して行うステップと、
前記第２の無線部が、前記アンテナを介して第３の周波数帯で無線通信するステップと、
前記通信処理部が、前記第２の無線部を介して第２の無線基地局装置との間で無線通信を行うステップと、
前記制御部が、前記スイッチ部を制御するステップと、を含み、
前記通信処理部は、前記第１の周波数帯で時分割複信方式により無線通信する第１の無線基地局装置が前記第１の周波数帯で時分割複信方式の上りリンクの受信を行うタイミングを表す周波数帯利用情報を、前記第２の無線基地局装置から受信し、
前記通信処理部は、前記周波数帯利用情報に基づいたマスク信号を前記制御部に出力し、
前記マスク信号は、前記第１の無線基地局装置の時分割複信方式の上りリンクの送信タイミングで可となり、それ以外のタイミングでは不可となる信号であり、
前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、
前記通信処理部は、前記第１の無線部を介して前記第１の無線基地局装置との間で上りリンクの片方向の通信を行う、
無線通信方法。
【請求項９】
アンテナと、第１の無線部と、第２の無線部と、スイッチ部と、通信処理部と、制御部と、を備える無線端末装置の無線通信方法であり、
前記スイッチ部は、前記アンテナと前記第１の無線部の間をオンまたはオフする機能と、前記アンテナと前記第２の無線部の間をオンまたはオフする機能とを有し、
前記第１の無線部が、周波数分割複信方式の下りリンクに割り当てられた第１の周波数帯に重複する第２の周波数帯で時分割複信方式の通信を、前記アンテナを介して行うステップと、
前記第２の無線部が、前記アンテナを介して第３の周波数帯で無線通信するステップと、
前記通信処理部が、前記第２の無線部を介して第２の無線基地局装置との間で無線通信を行うステップと、
前記制御部が、前記スイッチ部を制御するステップと、を含み、
前記通信処理部は、前記第２の周波数帯で時分割複信方式により無線通信する第１の無線基地局装置が前記第２の周波数帯で時分割複信方式の下りリンクの送信を行うタイミングを表す周波数帯利用情報を、前記第２の無線基地局装置から受信し、
前記通信処理部は、前記周波数帯利用情報に基づいたマスク信号を前記制御部に出力し、
前記マスク信号は、前記第１の無線基地局装置の時分割複信方式の下りリンクの受信タイミングで可となり、それ以外のタイミングでは不可となる信号であり、
前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、
前記通信処理部は、前記第１の無線部を介して、周波数分割複信方式の無線基地局装置との間で下りリンクの片方向の通信を行う、
無線通信方法。
【請求項１０】
アンテナと、第１の無線部と、第２の無線部と、スイッチ部と、通信処理部と、制御部と、を備える無線端末装置の無線通信方法であり、
前記スイッチ部は、前記アンテナと前記第１の無線部の間をオンまたはオフする機能と、前記アンテナと前記第２の無線部の間をオンまたはオフする機能とを有し、
前記第１の無線部が、周波数分割複信方式の上りリンクに割り当てられた第１の周波数帯に重複する第２の周波数帯で時分割複信方式の通信を、前記アンテナを介して行うステップと、
前記第２の無線部が、前記アンテナを介して第３の周波数帯で無線通信するステップと、
前記通信処理部は、前記第２の無線部を介して第２の無線基地局装置との間で無線通信を行うステップと、
前記制御部が、前記スイッチ部を制御するステップと、を含み、
前記通信処理部は、前記第２の周波数帯で時分割複信方式により無線通信する第１の無線基地局装置が前記第２の周波数帯で時分割複信方式の上りリンクの受信を行うタイミングを表す周波数帯利用情報を、前記第２の無線基地局装置から受信し、
前記通信処理部は、前記周波数帯利用情報に基づいたマスク信号を前記制御部に出力し、
前記マスク信号は、前記第１の無線基地局装置の時分割複信方式の上りリンクの送信タイミングで可となり、それ以外のタイミングでは不可となる信号であり、
前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、
前記通信処理部は、前記第１の無線部を介して、周波数分割複信方式の無線基地局装置との間で上りリンクの片方向の通信を行う、
無線通信方法。
【発明の詳細な説明】
【技術分野】
【０００１】
本発明は、無線端末装置、無線通信システムおよび無線通信方法に関する。
【背景技術】
【０００２】
従来、無線通信システムの複信方式として、時分割複信（Time Division Duplex：ＴＤＤ）方式と周波数分割複信（Frequency Division Duplex：ＦＤＤ）とが知られている。ＴＤＤ方式では、送信と受信を、同一周波数帯で時間を分けて行う。ＦＤＤ方式では、送信と受信を、周波数帯を分けて行う。
【０００３】
３ＧＰＰ（3rd Generation Partnership Project）で標準化作業が進められているＬＴＥ（Long Term Evolution）と呼ばれる無線通信システム（ＬＴＥシステム）には、ＦＤＤ方式とＴＤＤ方式とがある。ＴＤＤ方式のＬＴＥシステムは、ＦＤＤ方式のＬＴＥシステムと区別するためにＴＤ−ＬＴＥシステムと呼ばれている。
【先行技術文献】
【非特許文献】
【０００４】
【非特許文献１】3GPP, TS36.104, 「Evolved Universal Terrestrial Radio Access (E-UTRA); Base Station (BS) radio transmission and reception」, インターネット＜ＵＲＬ：http://www.3gpp.org/ftp/Specs/html-info/36104.htm＞
【非特許文献２】3GPP, TS36.101, 「Evolved Universal Terrestrial Radio Access (E-UTRA); User Equipment (UE) radio transmission and reception」, インターネット＜ＵＲＬ：http://www.3gpp.org/ftp/Specs/html-info/36101.htm＞
【発明の概要】
【発明が解決しようとする課題】
【０００５】
無線通信システムで利用可能な周波数帯の割り当ての例として、ＴＤＤ方式に割り当てられた周波数帯と、ＦＤＤ方式に割り当てられた周波数帯とが重複する場合がある。例えば、ＦＤＤ方式の下りリンクに割り当てられた周波数帯がＴＤＤ方式に割り当てられた周波数帯に重複する場合が挙げられる。このような場合に、同一周波数帯でＦＤＤ方式とＴＤＤ方式とを共存させることができれば、周波数利用効率の向上の点から好ましいと考えられる。例えば、ＦＤＤ方式の下りリンクに割り当てられた周波数帯がＴＤＤ方式に割り当てられた周波数帯に重複する場合に、ＦＤＤ方式の端末がＴＤＤ方式の基地局から下りリンクの受信を行うことができれば、当該周波数帯の活用の場が広がるので周波数利用効率の向上が期待できる。
【０００６】
本発明は、このような事情を考慮してなされたもので、同一周波数帯をＦＤＤ方式とＴＤＤ方式で共用することを課題とする。
【課題を解決するための手段】
【０００７】
（１）本発明に係る無線端末装置は、アンテナと、時分割複信方式に割り当てられた第１の周波数帯に重複する第２の周波数帯で周波数分割複信方式の下りリンクの受信を、前記アンテナを介して行う第１の無線部と、前記アンテナを介して第３の周波数帯で無線通信する第２の無線部と、前記アンテナと前記第１の無線部の間をオンまたはオフする機能と、前記アンテナと前記第２の無線部の間をオンまたはオフする機能とを有するスイッチ部と、前記第２の無線部を介して第２の無線基地局装置との間で無線通信を行う通信処理部と、前記スイッチ部を制御する制御部と、を備え、前記通信処理部は、前記第１の周波数帯で時分割複信方式により無線通信する第１の無線基地局装置が前記第１の周波数帯で時分割複信方式の下りリンクの送信を行うタイミングを表す周波数帯利用情報を、前記第２の無線基地局装置から受信し、前記通信処理部は、前記周波数帯利用情報に基づいたマスク信号を前記制御部に出力し、前記マスク信号は、前記第１の無線基地局装置の時分割複信方式の下りリンクの受信タイミングで可となり、それ以外のタイミングでは不可となる信号であり、前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、前記通信処理部は、前記第１の無線部を介して前記第１の無線基地局装置との間で下りリンクの片方向の通信を行う、無線端末装置である。
【０００８】
（２）本発明に係る無線端末装置は、アンテナと、時分割複信方式に割り当てられた第１の周波数帯に重複する第２の周波数帯で周波数分割複信方式の上りリンクの送信を、前記アンテナを介して行う第１の無線部と、前記アンテナを介して第３の周波数帯で無線通信する第２の無線部と、前記アンテナと前記第１の無線部の間をオンまたはオフする機能と、前記アンテナと前記第２の無線部の間をオンまたはオフする機能とを有するスイッチ部と、前記第２の無線部を介して第２の無線基地局装置との間で無線通信を行う通信処理部と、前記スイッチ部を制御する制御部と、を備え、前記通信処理部は、前記第１の周波数帯で時分割複信方式により無線通信する第１の無線基地局装置が前記第１の周波数帯で時分割複信方式の上りリンクの受信を行うタイミングを表す周波数帯利用情報を、前記第２の無線基地局装置から受信し、前記通信処理部は、前記周波数帯利用情報に基づいたマスク信号を前記制御部に出力し、前記マスク信号は、前記第１の無線基地局装置の時分割複信方式の上りリンクの送信タイミングで可となり、それ以外のタイミングでは不可となる信号であり、前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、前記通信処理部は、前記第１の無線部を介して前記第１の無線基地局装置との間で上りリンクの片方向の通信を行う、無線端末装置である。
【０００９】
（３）本発明に係る無線端末装置は、アンテナと、周波数分割複信方式の下りリンクに割り当てられた第１の周波数帯に重複する第２の周波数帯で時分割複信方式の通信を、前記アンテナを介して行う第１の無線部と、前記アンテナを介して第３の周波数帯で無線通信する第２の無線部と、前記アンテナと前記第１の無線部の間をオンまたはオフする機能と、前記アンテナと前記第２の無線部の間をオンまたはオフする機能とを有するスイッチ部と、前記第２の無線部を介して第２の無線基地局装置との間で無線通信を行う通信処理部と、前記スイッチ部を制御する制御部と、を備え、前記通信処理部は、前記第２の周波数帯で時分割複信方式により無線通信する第１の無線基地局装置が前記第２の周波数帯で時分割複信方式の下りリンクの送信を行うタイミングを表す周波数帯利用情報を、前記第２の無線基地局装置から受信し、前記通信処理部は、前記周波数帯利用情報に基づいたマスク信号を前記制御部に出力し、前記マスク信号は、前記第１の無線基地局装置の時分割複信方式の下りリンクの受信タイミングで可となり、それ以外のタイミングでは不可となる信号であり、前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、前記通信処理部は、前記第１の無線部を介して、周波数分割複信方式の無線基地局装置との間で下りリンクの片方向の通信を行う、無線端末装置である。
【００１０】
（４）本発明に係る無線端末装置は、アンテナと、周波数分割複信方式の上りリンクに割り当てられた第１の周波数帯に重複する第２の周波数帯で時分割複信方式の通信を、前記アンテナを介して行う第１の無線部と、前記アンテナを介して第３の周波数帯で無線通信する第２の無線部と、前記アンテナと前記第１の無線部の間をオンまたはオフする機能と、前記アンテナと前記第２の無線部の間をオンまたはオフする機能とを有するスイッチ部と、前記第２の無線部を介して第２の無線基地局装置との間で無線通信を行う通信処理部と、前記スイッチ部を制御する制御部と、を備え、前記通信処理部は、前記第２の周波数帯で時分割複信方式により無線通信する第１の無線基地局装置が前記第２の周波数帯で時分割複信方式の上りリンクの受信を行うタイミングを表す周波数帯利用情報を、前記第２の無線基地局装置から受信し、前記通信処理部は、前記周波数帯利用情報に基づいたマスク信号を前記制御部に出力し、前記マスク信号は、前記第１の無線基地局装置の時分割複信方式の上りリンクの送信タイミングで可となり、それ以外のタイミングでは不可となる信号であり、前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、前記通信処理部は、前記第１の無線部を介して、周波数分割複信方式の無線基地局装置との間で上りリンクの片方向の通信を行う、無線端末装置である。
【００１１】
（５）本発明に係る無線通信システムは、第１の周波数帯で時分割複信方式により無線端末装置と通信する無線基地局装置と、上記（１）または（２）のいずれかの無線端末装置と、を有する。
【００１２】
（６）本発明に係る無線通信システムは、第１の周波数帯で周波数分割複信方式により無線端末装置と通信する無線基地局装置と、上記（３）または（４）のいずれかの無線端末装置と、を有する。
【００１３】
（７）本発明に係る無線通信方法は、アンテナと、第１の無線部と、第２の無線部と、スイッチ部と、通信処理部と、制御部と、を備える無線端末装置の無線通信方法であり、前記スイッチ部は、前記アンテナと前記第１の無線部の間をオンまたはオフする機能と、前記アンテナと前記第２の無線部の間をオンまたはオフする機能とを有し、前記第１の無線部が、時分割複信方式に割り当てられた第１の周波数帯に重複する第２の周波数帯で周波数分割複信方式の下りリンクの受信を、前記アンテナを介して行うステップと、前記第２の無線部が、前記アンテナを介して第３の周波数帯で無線通信するステップと、前記通信処理部が、前記第２の無線部を介して第２の無線基地局装置との間で無線通信を行うステップと、前記制御部が、前記スイッチ部を制御するステップと、を含み、前記通信処理部は、前記第１の周波数帯で時分割複信方式により無線通信する第１の無線基地局装置が前記第１の周波数帯で時分割複信方式の下りリンクの送信を行うタイミングを表す周波数帯利用情報を、前記第２の無線基地局装置から受信し、前記通信処理部は、前記周波数帯利用情報に基づいたマスク信号を前記制御部に出力し、前記マスク信号は、前記第１の無線基地局装置の時分割複信方式の下りリンクの受信タイミングで可となり、それ以外のタイミングでは不可となる信号であり、前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、前記通信処理部は、前記第１の無線部を介して前記第１の無線基地局装置との間で下りリンクの片方向の通信を行う、無線通信方法である。
【００１４】
（８）本発明に係る無線通信方法は、アンテナと、第１の無線部と、第２の無線部と、スイッチ部と、通信処理部と、制御部と、を備える無線端末装置の無線通信方法であり、前記スイッチ部は、前記アンテナと前記第１の無線部の間をオンまたはオフする機能と、前記アンテナと前記第２の無線部の間をオンまたはオフする機能とを有し、前記第１の無線部が、時分割複信方式に割り当てられた第１の周波数帯に重複する第２の周波数帯で周波数分割複信方式の上りリンクの送信を、前記アンテナを介して行うステップと、前記第２の無線部が、前記アンテナを介して第３の周波数帯で無線通信するステップと、前記通信処理部が、前記第２の無線部を介して第２の無線基地局装置との間で無線通信を行うステップと、前記制御部が、前記スイッチ部を制御するステップと、を含み、前記通信処理部は、前記第１の周波数帯で時分割複信方式により無線通信する第１の無線基地局装置が前記第１の周波数帯で時分割複信方式の上りリンクの受信を行うタイミングを表す周波数帯利用情報を、前記第２の無線基地局装置から受信し、前記通信処理部は、前記周波数帯利用情報に基づいたマスク信号を前記制御部に出力し、前記マスク信号は、前記第１の無線基地局装置の時分割複信方式の上りリンクの送信タイミングで可となり、それ以外のタイミングでは不可となる信号であり、前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、前記通信処理部は、前記第１の無線部を介して前記第１の無線基地局装置との間で上りリンクの片方向の通信を行う、無線通信方法である。
【００１５】
（９）本発明に係る無線通信方法は、アンテナと、第１の無線部と、第２の無線部と、スイッチ部と、通信処理部と、制御部と、を備える無線端末装置の無線通信方法であり、前記スイッチ部は、前記アンテナと前記第１の無線部の間をオンまたはオフする機能と、前記アンテナと前記第２の無線部の間をオンまたはオフする機能とを有し、前記第１の無線部が、周波数分割複信方式の下りリンクに割り当てられた第１の周波数帯に重複する第２の周波数帯で時分割複信方式の通信を、前記アンテナを介して行うステップと、前記第２の無線部が、前記アンテナを介して第３の周波数帯で無線通信するステップと、前記通信処理部が、前記第２の無線部を介して第２の無線基地局装置との間で無線通信を行うステップと、前記制御部が、前記スイッチ部を制御するステップと、を含み、前記通信処理部は、前記第２の周波数帯で時分割複信方式により無線通信する第１の無線基地局装置が前記第２の周波数帯で時分割複信方式の下りリンクの送信を行うタイミングを表す周波数帯利用情報を、前記第２の無線基地局装置から受信し、前記通信処理部は、前記周波数帯利用情報に基づいたマスク信号を前記制御部に出力し、前記マスク信号は、前記第１の無線基地局装置の時分割複信方式の下りリンクの受信タイミングで可となり、それ以外のタイミングでは不可となる信号であり、前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、前記通信処理部は、前記第１の無線部を介して、周波数分割複信方式の無線基地局装置との間で下りリンクの片方向の通信を行う、無線通信方法である。
【００１６】
（１０）本発明に係る無線通信方法は、アンテナと、第１の無線部と、第２の無線部と、スイッチ部と、通信処理部と、制御部と、を備える無線端末装置の無線通信方法であり、前記スイッチ部は、前記アンテナと前記第１の無線部の間をオンまたはオフする機能と、前記アンテナと前記第２の無線部の間をオンまたはオフする機能とを有し、前記第１の無線部が、周波数分割複信方式の上りリンクに割り当てられた第１の周波数帯に重複する第２の周波数帯で時分割複信方式の通信を、前記アンテナを介して行うステップと、前記第２の無線部が、前記アンテナを介して第３の周波数帯で無線通信するステップと、前記通信処理部は、前記第２の無線部を介して第２の無線基地局装置との間で無線通信を行うステップと、前記制御部が、前記スイッチ部を制御するステップと、を含み、前記通信処理部は、前記第２の周波数帯で時分割複信方式により無線通信する第１の無線基地局装置が前記第２の周波数帯で時分割複信方式の上りリンクの受信を行うタイミングを表す周波数帯利用情報を、前記第２の無線基地局装置から受信し、前記通信処理部は、前記周波数帯利用情報に基づいたマスク信号を前記制御部に出力し、前記マスク信号は、前記第１の無線基地局装置の時分割複信方式の上りリンクの送信タイミングで可となり、それ以外のタイミングでは不可となる信号であり、前記制御部は、前記スイッチ部に対して、前記マスク信号の可の期間に前記アンテナと前記第１の無線部の間をオンにし、前記マスク信号の不可の期間に前記アンテナと前記第１の無線部の間をオフにし、前記通信処理部は、前記第１の無線部を介して、周波数分割複信方式の無線基地局装置との間で上りリンクの片方向の通信を行う、無線通信方法である。
【発明の効果】
【００１７】
本発明によれば、同一周波数帯をＦＤＤ方式とＴＤＤ方式で共用できるという効果が得られる。
【図面の簡単な説明】
【００１８】
【図１】本発明の第１実施形態に係る無線通信システムの概略構成図である。
【図２】本発明に係る周波数帯の割り当て例を示す図である。
【図３】本発明の第１実施形態に係る基地局１の構成例を示すブロック図である。
【図４】本発明の第１実施形態に係るＴＤＤ基地局２の構成例を示すブロック図である。
【図５】本発明の第１実施形態に係る端末３の構成例を示すブロック図である。
【図６】本発明の第１実施形態に係るマスク信号を説明するためのタイミングチャートである。
【図７】本発明の第２実施形態に係る無線通信システムの概略構成図である。
【図８】本発明の第２実施形態に係るＦＤＤ基地局５の構成例を示すブロック図である。
【図９】本発明の第２実施形態に係る端末６の構成例を示すブロック図である。
【発明を実施するための形態】
【００１９】
以下、図面を参照し、本発明の実施形態について説明する。
【００２０】
［第１実施形態］
第１実施形態では、ＴＤＤ方式に割り当てられた周波数帯と、ＦＤＤ方式に割り当てられた周波数帯とが重複する場合において、ＦＤＤ方式の無線端末装置がＴＤＤ方式の無線基地局装置と無線通信する。
【００２１】
図１は、本発明の第１実施形態に係る無線通信システムの概略構成図である。図１において、無線基地局装置（以下、基地局と称する）１は、周波数帯ｆａを無線通信に使用する。基地局１の複信方式は、ＴＤＤ方式またはＦＤＤ方式のいずれでもよい。ＴＤＤ基地局２は、周波数帯ｆｂを無線通信に使用する。ＴＤＤ基地局２の複信方式は、ＴＤＤ方式である。基地局１およびＴＤＤ基地局２はコアネットワーク４に接続されている。
【００２２】
基地局１の通信可能範囲とＴＤＤ基地局２の通信可能範囲は重複している。無線端末装置（以下、端末と称する）３は、基地局１の通信可能圏内に在る場合に、基地局１と無線通信することができる。端末３は、ＴＤＤ基地局２の通信可能圏内に在る場合に、ＴＤＤ基地局２と無線通信することができる。端末３は、基地局１の通信可能範囲とＴＤＤ基地局２の通信可能範囲が重複している区域では、基地局１およびＴＤＤ基地局２の両方と無線通信することができる。
【００２３】
図２は、本発明に係る周波数帯の割り当て例を示す図である。なお、図２に示される周波数帯の割り当て例は、説明の便宜上の例である。図２において、基地局１の周波数帯ｆａと、ＴＤＤ基地局２の周波数帯ｆｂとは、重複しない。周波数帯ｆａは、ＴＤＤ方式の周波数帯であってもよく、または、ＦＤＤ方式の周波数帯であってもよい。周波数帯ｆｂは、ＴＤＤ方式の周波数帯として割り当てられている。周波数帯ｆｃは、ＦＤＤ方式の周波数帯として割り当てられている。周波数帯ｆｃのうち、基地局から端末へ向かう方向のリンクである下りリンク（Down Link：ＤＬ）の周波数帯ｆｃ−ＤＬは、ＴＤＤ方式の周波数帯ｆｂと重複している。周波数帯ｆｃのうち、端末から基地局へ向かう方向のリンクである上りリンク（Up Link：ＵＬ）の周波数帯ｆｃ−ＵＬは、特に他の周波数帯と重複していない。
【００２４】
図３は、本発明の第１実施形態に係る基地局１の構成例を示すブロック図である。図３において、基地局１は、コアネットワーク通信部１１と無線通信部１２と制御部１３と記憶部１４を有する。コアネットワーク通信部１１、無線通信部１２、制御部１３および記憶部１４は、相互にデータを送受できるように接続されている。コアネットワーク通信部１１は、コアネットワーク４を介して通信相手の装置と通信を行う。無線通信部１２は、周波数帯ｆａで端末３と無線通信する。制御部１３は基地局１に係る動作の制御を行う。記憶部１４はデータを格納する。
【００２５】
図４は、本発明の第１実施形態に係るＴＤＤ基地局２の構成例を示すブロック図である。図４において、ＴＤＤ基地局２は、コアネットワーク通信部２１と無線通信部２２と制御部２３と記憶部２４を有する。コアネットワーク通信部２１、無線通信部２２、制御部２３および記憶部２４は、相互にデータを送受できるように接続されている。コアネットワーク通信部２１は、コアネットワーク４を介して通信相手の装置と通信を行う。無線通信部２２は、周波数帯ｆｂでＴＤＤ方式により端末３と無線通信する。制御部２３はＴＤＤ基地局２に係る動作の制御を行う。記憶部２４はデータを格納する。
【００２６】
図５は、本発明の第１実施形態に係る端末３の構成例を示すブロック図である。図５において、端末３は、アンテナ３１とスイッチ部３２と無線部３３とＦＤＤ無線部３４と通信処理部３５と制御部３６を有する。アンテナ３１はスイッチ部３２に接続されている。スイッチ部３２は、スイッチ３２１、３２２を有する。スイッチ３２１は、アンテナ３１と無線部３３の間をオン（接続）またはオフ（接続断）する。スイッチ３２２は、アンテナ３１とＦＤＤ無線部３４の間をオンまたはオフする。なお、スイッチ部３２の代わりに、スイッチ部３２と等価の機能を通信処理部３５に有してもよい。
【００２７】
無線部３３は、スイッチ３２１がオンである場合に、アンテナ３１を介して周波数帯ｆａの無線信号を基地局１との間で送受する。
【００２８】
ＦＤＤ無線部３４は、周波数帯ｆｃでＦＤＤ方式により無線信号を送受する機能を有する。第１実施形態では、図２に示されるように、周波数帯ｆｃのうち下りリンクの周波数帯ｆｃ−ＤＬが、ＴＤＤ基地局２のＴＤＤ方式の周波数帯ｆｂと重複している。このため、ＦＤＤ無線部３４は、スイッチ３２２がオンである場合に、アンテナ３１を介して、周波数帯ｆｃ−ＤＬでＴＤＤ基地局２の下りリンクの無線信号を受信できる。
【００２９】
通信処理部３５は、無線部３３を介して基地局１との間で無線通信を行う。この基地局１との間では、上りリンクおよび下りリンクの双方向の通信が可能である。通信処理部３５は、ＦＤＤ無線部３４を介してＴＤＤ基地局２との間で無線通信を行う。このＴＤＤ基地局２との間では、下りリンクの片方向の通信が可能である。
【００３０】
制御部３６は、スイッチ部３２を制御する。制御部３６は、スイッチ３２１のオンとオフを切り替える。スイッチ３２１がオンされると、アンテナ３１と無線部３３の間が接続される。スイッチ３２１がオフされると、アンテナ３１と無線部３３の間が接続断される。
【００３１】
制御部３６は、スイッチ３２２のオンとオフを切り替える。スイッチ３２２がオンされると、アンテナ３１とＦＤＤ無線部３４の間が接続される。スイッチ３２２がオフされると、アンテナ３１とＦＤＤ無線部３４の間が接続断される。
【００３２】
制御部３６は、通信処理部３５から入力されるマスク（Mask）信号に基づいて、スイッチ３２２のオンとオフを切り替える。図６は、本発明の第１実施形態に係るマスク信号を説明するためのタイミングチャートである。図６において、マスク信号は、ＴＤＤ基地局２のＴＤＤ方式の下りリンクの受信タイミングで「可（enable）」となり、それ以外のタイミングでは「不可（disable）」となる。
【００３３】
制御部３６は、マスク信号の「可（enable）」の期間にスイッチ３２２をオンにし、マスク信号の「不可（disable）」の期間にスイッチ３２２をオフにする。これにより、マスク信号の「可（enable）」の期間、つまりＴＤＤ基地局２のＴＤＤ方式の下りリンクの受信タイミングで、スイッチ３２２がオンになり、アンテナ３１とＦＤＤ無線部３４の間が接続されるので、ＦＤＤ無線部３４は、アンテナ３１を介して、周波数帯ｆｃ−ＤＬでＴＤＤ基地局２の下りリンクの無線信号を受信する。
【００３４】
一方、マスク信号の「不可（disable）」の期間、つまりＴＤＤ基地局２のＴＤＤ方式の下りリンクの受信タイミング以外のタイミングでは、スイッチ３２２がオフになり、アンテナ３１とＦＤＤ無線部３４の間が接続断されるので、ＦＤＤ無線部３４は無線信号を受信しない。
【００３５】
次に、上述した第１実施形態に係る実施例１、２を以下に説明する。この実施例１、２では、基地局１がキャリアアグリゲーション（Carrier Aggregation）のプライマリセル（Primary cell：Ｐｃｅｌｌ）を提供し、ＴＤＤ基地局２がキャリアアグリゲーションのセカンダリセル（Secondary cell：Ｓｃｅｌｌ）を提供する。
【実施例１】
【００３６】
実施例１では、基地局１が、端末の個別に、各端末の通信性能（capability）に応じて、周波数帯の利用に関する周波数帯利用情報を送信する。
【００３７】
基地局１は、周波数帯ｆａで双方向の無線通信のサービスを提供する。ＴＤＤ基地局２は、周波数帯ｆｂでＴＤＤ方式により無線通信のサービスを提供する。端末３は、周波数帯ｆａでの双方向の無線通信の機能と、周波数帯ｆｃでのＦＤＤ方式の無線通信の機能とを有する。
【００３８】
まず、端末３が基地局１にアタッチ（attach）する。次いで、基地局１は、端末３に対して、ＴＤＤ基地局２をキャリアアグリゲーションのセカンダリセルとして追加（add）する。このとき、基地局１は、周波数帯ｆｃでのＦＤＤ方式の無線通信の機能を有する端末３に対し、該端末３の通信性能（周波数帯ｆｃでのＦＤＤ方式の無線通信の機能を保有）に応じて、周波数帯ｆｃ−ＤＬの利用に関する周波数帯利用情報を送信する。周波数帯利用情報は、各端末の通信性能に応じて生成される。以下に、実施例１に係る周波数帯利用情報の例を挙げる。
【００３９】
（実施例１に係る周波数帯利用情報の例）
ここでは、ＬＴＥシステムにおける例を示す。
端末３に送信する「Scell add」のRRC（Radio Resource Control）メッセージにおいて、ＴＤＤ基地局２のシステム情報（System information）中の周波数帯ｆｂを周波数帯ｆｃ−ＤＬに書き換える。さらに、該システム情報に対して、周波数帯ｆｂの「TDD Configuration」に従い、端末３の受信すべきサブフレーム（Subframe）を示す「Subframe Mask (bitmap)」情報を追加する。この「Subframe Mask (bitmap)」情報は、図６に例示されるマスク信号に対応する。これにより、ＴＤＤ基地局２のシステム情報は、周波数帯ｆｃ−ＤＬのフォーマットでマスク信号を有するものとなる。
【００４０】
なお、周波数帯ｆａでの双方向の無線通信の機能と、周波数帯ｆｂでのＴＤＤ方式の無線通信の機能とを有する端末に対しては、「Scell add」のRRCメッセージにより、ＴＤＤ基地局２のシステム情報としてＴＤＤ方式の周波数帯ｆｂを通知する。このＴＤＤ基地局２のシステム情報は、周波数帯ｆｂのフォーマットとなる。
【００４１】
上記した実施例１に係る周波数帯利用情報の例では、各端末の通信性能に応じた「Scell add」のRRCメッセージが各端末へ送信される。これにより、該「Scell add」のRRCメッセージは、各端末に固有のものとなる。
【００４２】
以上が実施例１に係る周波数帯利用情報の例の説明である。
【００４３】
次いで、端末３は、基地局１から「Scell add」のRRCメッセージを受信する。端末３は、該受信した「Scell add」のRRCメッセージに含まれるＴＤＤ基地局２のシステム情報に基づいて、基地局１から指示されたサブフレーム割当結果に従い、周波数帯ｆｃ−ＤＬの下りリンクのパケットを受信する。なお、基地局１から指示されたサブフレーム割当結果は、基地局１のＰＤＣＣＨ（Physical downlink Control Channel）のみをブラインドデコーディング（総当たり方式による検出）等をすることによって、取得可能である。
【実施例２】
【００４４】
実施例２では、基地局１が、周波数帯の利用に関する周波数帯利用情報として、各端末に共通の周波数帯利用情報を送信する。
【００４５】
基地局１は、周波数帯ｆａで双方向の無線通信のサービスを提供する。ＴＤＤ基地局２は、周波数帯ｆｂでＴＤＤ方式により無線通信のサービスを提供する。端末３は、周波数帯ｆａでの双方向の無線通信の機能と、周波数帯ｆｃでのＦＤＤ方式の無線通信の機能とを有する。
【００４６】
まず、端末３が基地局１にアタッチする。次いで、基地局１は、端末３に対して、ＴＤＤ基地局２をキャリアアグリゲーションのセカンダリセルとして追加する。このとき、基地局１は、端末３に対して、周波数帯ｆｃ−ＤＬの利用に関する周波数帯利用情報を送信する。周波数帯利用情報は、各端末に共通に生成される。以下に、実施例２に係る周波数帯利用情報の例を挙げる。
【００４７】
（実施例２に係る周波数帯利用情報の例）
ここでは、ＬＴＥシステムにおける例を示す。
端末３に送信する「Scell add」のRRCメッセージに対して、ＴＤＤ基地局２の周波数帯ｆｂのシステム情報と、ＦＤＤ方式の周波数帯ｆｃ−ＤＬのシステム情報と、端末３の受信すべきサブフレームを示す「Subframe Mask (bitmap)」情報とを含める。ＦＤＤ方式の周波数帯ｆｃ−ＤＬのシステム情報には、「Scell add」のRRCメッセージ中の「Multiple Frequency Band Indicator」フィールド（field）を利用可能である。「Subframe Mask (bitmap)」情報は、周波数帯ｆｂの「TDD Configuration」に従ったものである。この「Subframe Mask (bitmap)」情報は、図６に例示されるマスク信号に対応する。
【００４８】
なお、周波数帯ｆａでの双方向の無線通信の機能と、周波数帯ｆｂでのＴＤＤ方式の無線通信の機能とを有する端末に対しても、上記した端末３に送信する「Scell add」のRRCメッセージと同じものが送信される。
【００４９】
上記した実施例２に係る周波数帯利用情報の例では、各端末に共通の「Scell add」のRRCメッセージが各端末へ送信される。これにより、該「Scell add」のRRCメッセージは、各端末の通信性能に依存せず、基地局に固有のものとなる。
【００５０】
以上が実施例２に係る周波数帯利用情報の例の説明である。
【００５１】
次いで、端末３は、基地局１から「Scell add」のRRCメッセージを受信する。端末３は、該受信した「Scell add」のRRCメッセージの中から、自己の通信性能（周波数帯ｆｃでのＦＤＤ方式の無線通信の機能を保有）に応じたＦＤＤ方式の周波数帯ｆｃ−ＤＬのシステム情報と、「Subframe Mask (bitmap)」情報とを取得する。次いで、端末３は、該取得したＦＤＤ方式の周波数帯ｆｃ−ＤＬのシステム情報と「Subframe Mask (bitmap)」情報に基づいて、基地局１から指示されたサブフレーム割当結果に従い、周波数帯ｆｃ−ＤＬの下りリンクのパケットを受信する。なお、基地局１から指示されたサブフレーム割当結果は、基地局１のＰＤＣＣＨのみをブラインドデコーディング（総当たり方式による検出）等をすることによって、取得可能である。
【００５２】
上述した第１実施形態によれば、ＦＤＤ方式の端末３が周波数帯ｆｃ−ＤＬでＴＤＤ基地局２の下りリンクの無線信号を受信できる。これにより、同一周波数帯をＦＤＤ方式とＴＤＤ方式で共用できるという効果が得られる。
【００５３】
なお、上述した第１実施形態の例では、ＴＤＤ方式に割り当てられた周波数帯ｆｂと、ＦＤＤ方式の下りリンクに割り当てられた周波数帯ｆｃ−ＤＬとが重複する場合において、ＦＤＤ方式の端末３がＴＤＤ基地局２から下りリンクの受信を行ったが、ＴＤＤ方式に割り当てられた周波数帯ｆｂと、ＦＤＤ方式の上りリンクに割り当てられた周波数帯ｆｃ−ＵＬとが重複する場合において、ＦＤＤ方式の端末３がＴＤＤ基地局２へ上りリンクの送信を行うことも同様に可能である。
【００５４】
ＴＤＤ方式に割り当てられた周波数帯ｆｂと、ＦＤＤ方式の上りリンクに割り当てられた周波数帯ｆｃ−ＵＬとが重複する場合において、ＦＤＤ方式の端末３がＴＤＤ基地局２へ上りリンクの送信を行う場合には、マスク信号は、ＴＤＤ基地局２のＴＤＤ方式の上りリンクの送信タイミングで「可（enable）」となり、それ以外のタイミングでは「不可（disable）」となる。
【００５５】
また、上述した第１実施形態において、ＴＤＤ基地局２は、端末に対する無線リソースの割り当てにおいて、ＴＤＤ方式の端末よりもＦＤＤ方式の端末３を優先するようにしてもよい。
【００５６】
［第２実施形態］
第２実施形態では、ＴＤＤ方式に割り当てられた周波数帯と、ＦＤＤ方式に割り当てられた周波数帯とが重複する場合において、ＴＤＤ方式の無線端末装置がＦＤＤ方式の無線基地局装置と無線通信する。
【００５７】
図７は、本発明の第２実施形態に係る無線通信システムの概略構成図である。図７において、基地局１は、周波数帯ｆａを無線通信に使用する。基地局１の複信方式は、ＴＤＤ方式またはＦＤＤ方式のいずれでもよい。ＦＤＤ基地局５は、周波数帯ｆｃを無線通信に使用する。ＦＤＤ基地局５の複信方式は、ＦＤＤ方式である。基地局１およびＦＤＤ基地局５はコアネットワーク４に接続されている。
【００５８】
基地局１の通信可能範囲とＦＤＤ基地局５の通信可能範囲は重複している。端末６は、基地局１の通信可能圏内に在る場合に、基地局１と無線通信することができる。端末６は、ＦＤＤ基地局５の通信可能圏内に在る場合に、ＦＤＤ基地局５と無線通信することができる。端末６は、基地局１の通信可能範囲とＦＤＤ基地局５の通信可能範囲が重複している区域では、基地局１およびＦＤＤ基地局５の両方と無線通信することができる。
【００５９】
第２実施形態に係る周波数帯の割り当ては、図２に示される周波数帯の割り当て例と同じであるとする。ＦＤＤ基地局５の周波数帯ｆｃのうち、下りリンクの周波数帯ｆｃ−ＤＬはＴＤＤ方式の周波数帯ｆｂと重複している。なお、図２に示される周波数帯の割り当て例は、説明の便宜上の例である。
【００６０】
基地局１は、図３と同じ構成である。図８は、本発明の第２実施形態に係るＦＤＤ基地局５の構成例を示すブロック図である。図８において、ＦＤＤ基地局５は、コアネットワーク通信部５１と無線通信部５２と制御部５３と記憶部５４を有する。コアネットワーク通信部５１、無線通信部５２、制御部５３および記憶部５４は、相互にデータを送受できるように接続されている。コアネットワーク通信部５１は、コアネットワーク４を介して通信相手の装置と通信を行う。無線通信部５２は、周波数帯ｆｃでＦＤＤ方式により端末６と無線通信する。制御部５３はＦＤＤ基地局５に係る動作の制御を行う。記憶部５４はデータを格納する。
【００６１】
図９は、本発明の第２実施形態に係る端末６の構成例を示すブロック図である。図９において、端末６は、アンテナ６１とスイッチ部６２と無線部６３とＴＤＤ無線部６４と通信処理部６５と制御部６６を有する。アンテナ６１はスイッチ部６２に接続されている。スイッチ部６２は、スイッチ６２１、６２２を有する。スイッチ６２１は、アンテナ６１と無線部６３の間をオンまたはオフする。スイッチ６２２は、アンテナ６１とＴＤＤ無線部６４の間をオンまたはオフする。なお、スイッチ部６２の代わりに、スイッチ部６２と等価の機能を通信処理部６５に有してもよい。
【００６２】
無線部６３は、スイッチ６２１がオンである場合に、アンテナ６１を介して周波数帯ｆａの無線信号を基地局１との間で送受する。
【００６３】
ＴＤＤ無線部６４は、周波数帯ｆｂでＴＤＤ方式により無線信号を送受する機能を有する。第２実施形態では、図２に示されるように、周波数帯ｆｂがＦＤＤ基地局５の周波数帯ｆｃのうち下りリンクの周波数帯ｆｃ−ＤＬと重複している。このため、ＴＤＤ無線部６４は、スイッチ６２２がオンである場合に、アンテナ６１を介して、周波数帯ｆｂのうちの周波数帯ｆｃ−ＤＬと重複する部分でＦＤＤ基地局５の下りリンクの無線信号を受信できる。
【００６４】
通信処理部６５は、無線部６３を介して基地局１との間で無線通信を行う。この基地局１との間では、上りリンクおよび下りリンクの双方向の通信が可能である。通信処理部６５は、ＴＤＤ無線部６４を介してＦＤＤ基地局５との間で無線通信を行う。このＦＤＤ基地局５との間では、下りリンクの片方向の通信が可能である。
【００６５】
制御部６６は、スイッチ部６２を制御する。制御部６６は、スイッチ６２１のオンとオフを切り替える。スイッチ６２１がオンされると、アンテナ６１と無線部６３の間が接続される。スイッチ６２１がオフされると、アンテナ６１と無線部６３の間が接続断される。
【００６６】
制御部６６は、スイッチ６２２のオンとオフを切り替える。スイッチ６２２がオンされると、アンテナ６１とＴＤＤ無線部６４の間が接続される。スイッチ６２２がオフされると、アンテナ３１とＴＤＤ無線部６４の間が接続断される。
【００６７】
制御部６６は、通信処理部６５から入力されるマスク信号に基づいて、スイッチ６２２のオンとオフを切り替える。該マスク信号は、図６と同様であり、ＴＤＤ方式の下りリンクの受信タイミングで「可（enable）」となり、それ以外のタイミングでは「不可（disable）」となる。
【００６８】
制御部６６は、マスク信号の「可（enable）」の期間にスイッチ６２２をオンにし、マスク信号の「不可（disable）」の期間にスイッチ６２２をオフにする。これにより、マスク信号の「可（enable）」の期間、つまりＴＤＤ方式の下りリンクの受信タイミングで、スイッチ６２２がオンになり、アンテナ６１とＴＤＤ無線部６４の間が接続されるので、ＴＤＤ無線部６４は、アンテナ６１を介して、周波数帯ｆｂのうちの周波数帯ｆｃ−ＤＬと重複する部分でＦＤＤ基地局５の下りリンクの無線信号を受信する。
【００６９】
一方、マスク信号の「不可（disable）」の期間、つまりＴＤＤ方式の下りリンクの受信タイミング以外のタイミングでは、スイッチ６２２がオフになり、アンテナ３１とＴＤＤ無線部６４の間が接続断される。これにより、ＴＤＤ無線部６４は無線信号を送信しない。
【００７０】
次に、上述した第２実施形態に係る実施例３、４を以下に説明する。この実施例３、４では、基地局１がキャリアアグリゲーションのプライマリセル（Ｐｃｅｌｌ）を提供し、ＦＤＤ基地局５がキャリアアグリゲーションのセカンダリセル（Ｓｃｅｌｌ）を提供する。
【実施例３】
【００７１】
実施例３では、基地局１が、端末の個別に、各端末の通信性能に応じて、周波数帯の利用に関する周波数帯利用情報を送信する。
【００７２】
基地局１は、周波数帯ｆａで双方向の無線通信のサービスを提供する。ＦＤＤ基地局５は、周波数帯ｆｃでＦＤＤ方式により無線通信のサービスを提供する。端末６は、周波数帯ｆａでの双方向の無線通信の機能と、周波数帯ｆｂでのＴＤＤ方式の無線通信の機能とを有する。
【００７３】
まず、端末６が基地局１にアタッチする。次いで、基地局１は、端末６に対して、ＦＤＤ基地局５をキャリアアグリゲーションのセカンダリセルとして追加する。このとき、基地局１は、周波数帯ｆｂでのＴＤＤ方式の無線通信の機能を有する端末６に対し、該端末６の通信性能（周波数帯ｆｂでのＴＤＤ方式の無線通信の機能を保有）に応じて、周波数帯ｆｂの利用に関する周波数帯利用情報を送信する。周波数帯利用情報は、各端末の通信性能に応じて生成される。以下に、実施例３に係る周波数帯利用情報の例を挙げる。
【００７４】
（実施例３に係る周波数帯利用情報の例）
ここでは、ＬＴＥシステムにおける例を示す。
端末６に送信する「Scell add」のRRC（Radio Resource Control）メッセージにおいて、ＦＤＤ基地局５のシステム情報中の周波数帯ｆｃを周波数帯ｆｂに書き換える。さらに、該システム情報に対して、「TDD Configuration」情報を追加する。この追加される「TDD Configuration」情報として、下りリンクサブフレームが最も多い「TDD Configuration」情報を使用することが挙げられる。システム情報に追加される「TDD Configuration」情報は、図６に例示されるマスク信号に対応する。これにより、ＦＤＤ基地局５のシステム情報は、周波数帯ｆｂのフォーマットとなる。
【００７５】
なお、周波数帯ｆａでの双方向の無線通信の機能と、周波数帯ｆｃでのＦＤＤ方式の無線通信の機能とを有する端末に対しては、「Scell add」のRRCメッセージにより、ＦＤＤ基地局５のシステム情報としてＦＤＤ方式の周波数帯ｆｃを通知する。このＦＤＤ基地局５のシステム情報は、周波数帯ｆｃのフォーマットとなる。
【００７６】
上記した実施例３に係る周波数帯利用情報の例では、各端末の通信性能に応じた「Scell add」のRRCメッセージが各端末へ送信される。これにより、該「Scell add」のRRCメッセージは、各端末に固有のものとなる。
【００７７】
以上が実施例３に係る周波数帯利用情報の例の説明である。
【００７８】
次いで、端末６は、基地局１から「Scell add」のRRCメッセージを受信する。端末６は、該受信した「Scell add」のRRCメッセージに含まれるＦＤＤ基地局５のシステム情報に基づいて、基地局１から指示されたサブフレーム割当結果に従い、周波数帯ｆｂのうちの周波数帯ｆｃ−ＤＬと重複する部分で下りリンクのパケットを受信する。なお、基地局１から指示されたサブフレーム割当結果は、基地局１のＰＤＣＣＨのみをブラインドデコーディング（総当たり方式による検出）等をすることによって、取得可能である。
【実施例４】
【００７９】
実施例４では、基地局１が、周波数帯の利用に関する周波数帯利用情報として、各端末に共通の周波数帯利用情報を送信する。
【００８０】
基地局１は、周波数帯ｆａで双方向の無線通信のサービスを提供する。ＦＤＤ基地局５は、周波数帯ｆｃでＦＤＤ方式により無線通信のサービスを提供する。端末６は、周波数帯ｆａでの双方向の無線通信の機能と、周波数帯ｆｂでのＴＤＤ方式の無線通信の機能とを有する。
【００８１】
まず、端末６が基地局１にアタッチする。次いで、基地局１は、端末６に対して、ＦＤＤ基地局５をキャリアアグリゲーションのセカンダリセルとして追加する。このとき、基地局１は、端末６に対して、周波数帯ｆｂの利用に関する周波数帯利用情報を送信する。周波数帯利用情報は、各端末に共通に生成される。以下に、実施例４に係る周波数帯利用情報の例を挙げる。
【００８２】
（実施例４に係る周波数帯利用情報の例）
ここでは、ＬＴＥシステムにおける例を示す。
端末６に送信する「Scell add」のRRCメッセージに対して、ＦＤＤ基地局５の周波数帯ｆｃのシステム情報と、ＴＤＤ方式の周波数帯ｆｂのシステム情報とを含める。ＴＤＤ方式の周波数帯ｆｂのシステム情報には、「Scell add」のRRCメッセージ中の「Multiple Frequency Band Indicator」フィールドを利用可能である。また、ＴＤＤ方式の周波数帯ｆｂのシステム情報の「TDD Configuration」情報として、下りリンクサブフレームが最も多い「TDD Configuration」情報を使用することが挙げられる。ＴＤＤ方式の周波数帯ｆｂのシステム情報の「TDD Configuration」情報は、図６に例示されるマスク信号に対応する。
【００８３】
なお、周波数帯ｆａでの双方向の無線通信の機能と、周波数帯ｆｃでのＦＤＤ方式の無線通信の機能とを有する端末に対しても、上記した端末６に送信する「Scell add」のRRCメッセージと同じものが送信される。
【００８４】
上記した実施例４に係る周波数帯利用情報の例では、各端末に共通の「Scell add」のRRCメッセージが各端末へ送信される。これにより、該「Scell add」のRRCメッセージは、各端末の通信性能に依存せず、基地局に固有のものとなる。
【００８５】
以上が実施例４に係る周波数帯利用情報の例の説明である。
【００８６】
次いで、端末６は、基地局１から「Scell add」のRRCメッセージを受信する。端末６は、該受信した「Scell add」のRRCメッセージの中から、自己の通信性能（周波数帯ｆｂでのＴＤＤ方式の無線通信の機能を保有）に応じたＴＤＤ方式の周波数帯ｆｂのシステム情報を取得する。次いで、端末６は、該取得したＴＤＤ方式の周波数帯ｆｂのシステム情報に基づいて、基地局１から指示されたサブフレーム割当結果に従い、周波数帯ｆｂのうちの周波数帯ｆｃ−ＤＬと重複する部分で下りリンクのパケットを受信する。なお、基地局１から指示されたサブフレーム割当結果は、基地局１のＰＤＣＣＨのみをブラインドデコーディング（総当たり方式による検出）等をすることによって、取得可能である。
【００８７】
上述した第２実施形態によれば、ＴＤＤ方式の端末６が周波数帯ｆｂのうちの周波数帯ｆｃ−ＤＬと重複する部分でＦＤＤ基地局５の下りリンクの無線信号を受信できる。これにより、同一周波数帯をＦＤＤ方式とＴＤＤ方式で共用できるという効果が得られる。
【００８８】
なお、上述した第２実施形態の例では、ＴＤＤ方式に割り当てられた周波数帯ｆｂと、ＦＤＤ方式の下りリンクに割り当てられた周波数帯ｆｃ−ＤＬとが重複する場合において、ＴＤＤ方式の端末６がＦＤＤ基地局５から下りリンクの受信を行ったが、ＴＤＤ方式に割り当てられた周波数帯ｆｂと、ＦＤＤ方式の上りリンクに割り当てられた周波数帯ｆｃ−ＵＬとが重複する場合において、ＴＤＤ方式の端末６がＦＤＤ基地局５へ上りリンクの送信を行うことも同様に可能である。
【００８９】
ＴＤＤ方式に割り当てられた周波数帯ｆｂと、ＦＤＤ方式の上りリンクに割り当てられた周波数帯ｆｃ−ＵＬとが重複する場合において、ＴＤＤ方式の端末６がＦＤＤ基地局５へ上りリンクの送信を行う場合には、マスク信号は、ＴＤＤ方式の上りリンクの送信タイミングで「可（enable）」となり、それ以外のタイミングでは「不可（disable）」となる。
【００９０】
また、上述した第２実施形態において、ＦＤＤ基地局５は、端末に対する無線リソースの割り当てにおいて、ＦＤＤ方式の端末よりもＴＤＤ方式の端末６を優先するようにしてもよい。
【００９１】
以上、本発明の実施形態について図面を参照して詳述してきたが、具体的な構成はこの実施形態に限られるものではなく、本発明の要旨を逸脱しない範囲の設計変更等も含まれる。
【００９２】
なお、本発明は、セルラーシステム等の無線通信システムに適用可能である。例えば、ＬＴＥ規格の無線通信システム（ＬＴＥシステム）、ＬＴＥアドバンスト（LTE-Advanced）規格の無線通信システム（ＬＴＥアドバンストシステム）などに本発明を適用することが挙げられる。
【符号の説明】
【００９３】
１…無線基地局装置、２…ＴＤＤ基地局、３，６…無線端末装置、４…コアネットワーク、５…ＦＤＤ基地局、１１，２１，５１…コアネットワーク通信部、１２，２２，５２…無線通信部、１３，２３，５３…制御部、１４，２４，５４…記憶部、３１，６１…アンテナ、３２，６２…スイッチ部、３２１，３２２，６２１，６２２…スイッチ、３３，６３…無線部、３４…ＦＤＤ無線部、６４…ＴＤＤ無線部、３５，６５…通信処理部、３６，６６…制御部
【図１】
0006291022.tif 000002
【図２】
0006291022.tif 000003
【図３】
0006291022.tif 000004
【図４】
0006291022.tif 000005
【図５】
0006291022.tif 000006
【図６】
0006291022.tif 000007
【図７】
0006291022.tif 000008
【図８】
0006291022.tif 000009
【図９】
0006291022.tif 000010